(57)【要約】【課題】  人体に有害な物質を使用することなく、防錆が図れるリールの提供を課題とする。【解決手段】  樹脂材で成形され、記録テープＴが巻回される有底円筒状のハブ２２と、ハブ２２の端部に設けられ、記録テープＴの幅方向端部を保持するフランジ２４、２６と、を備えたリール２０において、ハブ２２の底部に露出状態で設けられ、ドライブ装置側のマグネットに吸着されるリールプレート４６を、防錆メッキされていない、磁性を有するステンレス鋼とする。【選択図】          図４
2007052860.tif 000002
【特許請求の範囲】
【請求項１】
樹脂材で成形され、記録テープが巻回される有底円筒状のハブと、
前記ハブの端部に設けられ、前記記録テープの幅方向端部を保持するフランジと、
を備えたリールであって、
前記ハブに、防錆メッキされていないステンレス製の環状部材を設けたことを特徴とするリール。
【請求項２】
前記環状部材が、前記ハブの底部に露出状態で設けられ、ドライブ装置側のマグネットに吸着されるリールプレートであり、該リールプレートが、磁性を有するステンレス鋼であることを特徴とする請求項１に記載のリール。
【請求項３】
樹脂材で成形され、記録テープが巻回される有底円筒状のハブと、
前記ハブの端部に設けられ、前記記録テープの幅方向端部を保持するフランジと、
を備えたリールであって、
ドライブ装置側のマグネットに吸着される、防錆メッキされていないリールプレートを、前記ハブの底部に略非露出状態で設けたことを特徴とするリール。
【請求項４】
前記リールプレートは、磁性を有するステンレス鋼であることを特徴とする請求項３に記載のリール。
【発明の詳細な説明】
【技術分野】
【０００１】
本発明は、コンピューター等のデータ保存用として使用される磁気テープ等の記録テープが巻回されるリールに関する。
【背景技術】
【０００２】
従来、コンピューター等の外部記録媒体として使用される記録テープカートリッジには、磁気テープ等の記録テープが巻回された単一のリールが回転可能に収容されている。このリールの底部外面には、ケースのギア開口から露出し、ドライブ装置側の回転シャフトに形成された駆動ギアが噛合するリールギアが形成されている。
【０００３】
また、そのリールギアの内側には、ドライブ装置側の回転シャフトに設けられたマグネットに吸着される金属製のリールプレートが、インサート成形等により、外部に露出した状態で設けられている（例えば、特許文献１参照）。
【０００４】
このリールプレートは、マグネットで吸着可能なように、磁性を有する鉄が主成分とされている。しかしながら、鉄は経時により錆が発生するため、このリールプレートには、通常、防錆メッキが施されている。これにより、リールプレートにおいて錆の発生が防止されるが、この防錆メッキをする工程で使用される六価クロムは人体に有害であるという問題がある。
【特許文献１】特開２０００−４８５２６号公報
【発明の開示】
【発明が解決しようとする課題】
【０００５】
そこで、本発明は、上記事情に鑑み、人体に有害な物質を使用することなく、防錆が図れるリールを得ることを目的とする。
【課題を解決するための手段】
【０００６】
上記の目的を達成するために、本発明に係る請求項１に記載のリールは、樹脂材で成形され、記録テープが巻回される有底円筒状のハブと、前記ハブの端部に設けられ、前記記録テープの幅方向端部を保持するフランジと、を備えたリールであって、前記ハブに、防錆メッキされていないステンレス製の環状部材を設けたことを特徴としている。
【０００７】
請求項１に記載の発明によれば、ハブに設ける環状部材が防錆メッキされていないステンレス製なので、人体に有害な物質を使用することなく、リール（環状部材）の防錆を図ることができる。
【０００８】
また、請求項２に記載のリールは、請求項１に記載のリールにおいて、前記環状部材が、前記ハブの底部に露出状態で設けられ、ドライブ装置側のマグネットに吸着されるリールプレートであり、該リールプレートが、磁性を有するステンレス鋼であることを特徴としている。
【０００９】
請求項２に記載の発明によれば、ハブの底部に露出状態で設けられるリールプレートが、磁性を有するステンレス鋼であるため、ドライブ装置側のマグネットで吸着できる。
【００１０】
また、本発明に係る請求項３に記載のリールは、樹脂材で成形され、記録テープが巻回される有底円筒状のハブと、前記ハブの端部に設けられ、前記記録テープの幅方向端部を保持するフランジと、を備えたリールであって、ドライブ装置側のマグネットに吸着される、防錆メッキされていないリールプレートを、前記ハブの底部に略非露出状態で設けたことを特徴としている。
【００１１】
請求項３に記載の発明によれば、ドライブ装置側のマグネットに吸着されるリールプレートが、ハブの底部に略非露出状態で設けられるので、防錆メッキされていなくても、錆が発生し難くなる。したがって、人体に有害な物質を使用することなく、リールの防錆を図ることができる。
【００１２】
そして、請求項４に記載のリールは、請求項３に記載のリールにおいて、前記リールプレートが、磁性を有するステンレス鋼であることを特徴としている。
【００１３】
請求項４に記載の発明によれば、ハブの底部に略非露出状態で設けられるリールプレートが、磁性を有するステンレス鋼であるため、ドライブ装置側のマグネットで吸着できる。また、リールプレートの一部が露出していても、リールプレートに錆が発生することはない。したがって、リールの防錆を図ることができる。
【発明の効果】
【００１４】
以上のように、本発明によれば、人体に有害な物質を使用することなく、防錆が図れるリールを提供することができる。
【発明を実施するための最良の形態】
【００１５】
以下、本発明の最良な実施の形態を図面に示す実施例に基づいて詳細に説明する。なお、本発明に係るリールは、単一でケース内に収容される１リールタイプでも、一対でケース内に収容される２リールタイプでも適用できるが、ここでは、１リールタイプの記録テープカートリッジを例に採って説明をする。また、その説明の便宜上、図１において、記録テープカートリッジ１０のドライブ装置への装填方向を矢印Ａで示し、それを記録テープカートリッジ１０の前方向（前側）とする。そして、矢印Ａと直交する矢印Ｂ方向を右方向（右側）とする。
【００１６】
まず、最初に、記録テープカートリッジ１０の全体構成について簡単に説明する。図１乃至図３で示すように、記録テープカートリッジ１０は、略矩形箱状のケース１２を有している。このケース１２は、ポリカーボネート（ＰＣ）等の樹脂製の上ケース１４と下ケース１６とが、それぞれ天板１４Ａの周縁に立設された周壁１４Ｂと、底板１６Ａの周縁に立設された周壁１６Ｂとを互いに当接させた状態で、ビス７０等によって接合されて構成されている。なお、上ケース１４と下ケース１６を接合する手段は、これに限定されるものではなく、例えば超音波溶着により接合しても構わない。
【００１７】
ケース１２の内部には、リール２０が１つだけ回転可能に収容されている。リール２０は、合成樹脂製の有底円筒状のリールハブ２２と、リールハブ２２の両端部に設けられた上フランジ２４及び下フランジ２６とで構成されており、情報記録再生媒体としての磁気テープ等の記録テープＴはリールハブ２２の外周面に巻回される。そして、その記録テープＴの幅方向の端部を上フランジ２４及び下フランジ２６で保持するようになっている。なお、リール２０の詳細については後述する。
【００１８】
また、ケース１２の右壁１２Ｂには、リール２０に巻装された記録テープＴを引き出すための開口１８が形成されており、この開口１８から引き出される記録テープＴの自由端部には、ドライブ装置の引出部材（図示省略）によって係止（係合）されつつ引き出し操作されるリーダーピン３０が固着されている。
【００１９】
リーダーピン３０の記録テープＴの幅方向端部より突出した両端部には、環状溝３２が形成されており、この環状溝３２が引出部材のフック等に係止される。これにより、記録テープＴを引き出す際に、フック等が記録テープＴに接触して傷付けることがない構成である。
【００２０】
また、ケース１２の開口１８の内側、即ち上ケース１４の天板１４Ａ内面及び下ケース１６の底板１６Ａ内面には、ケース１２内においてリーダーピン３０を位置決めして保持する上下一対のピン保持部３６が設けられている。このピン保持部３６は、記録テープＴの引き出し側が開放された略半円形状をしており、直立状態のリーダーピン３０の両端部３４は、その開放側からピン保持部３６内に出入可能とされている。
【００２１】
また、ピン保持部３６の近傍には、板ばね３８が固定配置されるようになっており、この板ばね３８の二股状の先端部がリーダーピン３０の上下両端部３４にそれぞれ係合してリーダーピン３０をピン保持部３６に保持するようになっている。なお、リーダーピン３０がピン保持部３６に出入する際には、板ばね３８の先端部は適宜弾性変形してリーダーピン３０の移動を許容する構成である。
【００２２】
また、下ケース１６の中央部には、リール２０のリールギア４４（後述）を外部に露出するためのギア開口４０が設けられており、リール２０はリールギア４４がドライブ装置の駆動ギア（図示省略）に噛合されて、ケース１２内で回転駆動されるようになっている。そして、リール２０は、上ケース１４及び下ケース１６の内面にそれぞれ部分的に突設されて、ギア開口４０と同軸的な円形の軌跡上にある内壁としての遊動規制壁４２によってガタつかないように保持されている。
【００２３】
また、開口１８は、ドア５０によって開閉されるようになっている。このドア５０は、開口１８を閉塞可能な大きさの矩形板状に形成され、ケース１２の右壁１２Ｂに沿って移動できるように、開口１８内側の天板１４Ａ及び底板１６Ａには、ドア５０の上下端部を摺動可能に嵌入させる溝部６４が形成されている。
【００２４】
また、ドア５０の後端部中央には、シャフト５２が突設されており、そのシャフト５２には、コイルばね５８が嵌挿されている。そして、シャフト５２の後端には、そのコイルばね５８を脱落防止とする拡開部５４が形成されている。また、下ケース１６には、そのシャフト５２に嵌挿されたコイルばね５８の後端を係止する係止突起６２を有する支持台６０が突設されている。
【００２５】
したがって、ドア５０は、シャフト５２が支持台６０上に摺動自在に支持されるとともに、コイルばね５８の後端が係止突起６２に係止されることにより、そのコイルばね５８の付勢力によって、常時開口１８の閉塞方向へ付勢される構成である。なお、開口１８の開放時、シャフト５２を支持する支持台６６を支持台６０の後方側に更に突設しておくことが好ましい。
【００２６】
また、ドア５０の前端部には、開閉操作用の凸部５６が外方に向かって突設されている。この凸部５６が、記録テープカートリッジ１０の前壁１２Ａ側からのドライブ装置への装填に伴い、そのドライブ装置の開閉部材（図示省略）と係合するようになっており、これによって、ドア５０がコイルばね５８の付勢力に抗して開放される構成になっている。
【００２７】
また、図３で示すように、下ケース１６の底板１６Ａには、ドライブ装置の位置決め部材（図示省略）が挿入される位置決め用の非貫通穴部４８、４９が形成されている。右壁１２Ｂ側の穴部４８は、底面視略正方形状に形成され、左壁１２Ｃ側の穴部４９は、左右方向に長い底面視略楕円形状に形成されている。また、底板１６Ａの後壁１２Ｄ側には、図示しないライトプロテクトの一部が露出する底面視略楕円形状の開口６８が穿設されている。
【００２８】
更に、上ケース１４には、非貫通穴とされたビスボス７４が複数個（図示のものは４個）、所定位置（上ケース１４のコーナー部近傍）に形成されており、下ケース１６には、貫通孔とされたビスボス７６が複数個（図示のものは４個）、上ケース１４と下ケース１６とを重ね合わせたときに、ビスボス７４と当接可能となる所定位置（下ケース１６のコーナー部近傍）に形成されている。したがって、上ケース１４と下ケース１６とを重ね合わせたときに、これらビスボス７４、７６が当接し、この状態で、底板１６Ａの下面側からビス７０が螺合される。
【００２９】
以上のような構成の記録テープカートリッジ１０において、次に本発明に係るリール２０について詳細に説明する。図４で示すように、リール２０は、軸心部を構成する有底円筒状のリールハブ２２と、その底壁２８側端部に設けられる下フランジ２６とが樹脂材で一体成形されており、上フランジ２４がリールハブ２２の開口２７側端部に超音波溶着されて構成される。
【００３０】
したがって、リールハブ２２と上フランジ２４は、互いに相溶性がある樹脂材を用いて成形されており、これによって、リールハブ２２と上フランジ２４とを容易に超音波溶着できる構成になっている。なお、その樹脂材の種類としては、例えば、ポリメタクリル酸メチル（ＰＭＭＡ）とアクリロニトリル・ブタジエン・スチレン（ＡＢＳ）、アクリロニトリル・スチレン（ＡＳ）とアクリロニトリル・ブタジエン・スチレン（ＡＢＳ）、ポリカーボネート（ＰＣ）とポリカーボネート（ＰＣ）等の組み合わせが挙げられる。
【００３１】
底壁２８の下面側には、環状のリールギア４４が形成されている。このリールギア４４は、下ケース１６の中央に設けられた円形のギア開口４０から露出し、ドライブ装置の回転シャフト（図示省略）に備えられた駆動ギア（図示省略）と噛合して、リール２０に回転力を伝達するようになっている。
【００３２】
また、リールギア４４の内側には、環状部材としての金属製リールプレート４６がインサート成形により一体的に設けられており、底壁２８の下面から露出している。このリールプレート４６がドライブ装置の回転シャフトに備えられたマグネット（図示省略）に吸着されることにより、軸ずれが防止されるとともに、リールギア４４と駆動ギアとの噛合状態を保持可能とされる。
【００３３】
ここで、このリールプレート４６は、防錆メッキされていない、磁性を有するステンレス鋼とされている。磁性を有するステンレス鋼とは、ＪＩＳ表記で、ＳＵＳ４１０又はＳＵＳ４３０である。したがって、防錆メッキをする際に使用される六価クロム等の人体に有害な物質を使用することなく、そのリールプレート４６において、錆の発生を防止することができる。つまり、リール２０において、防錆を図ることができる。
【００３４】
また、リールプレート４６が防錆メッキされていなくても、そのリールプレート４６を底壁２８に略非露出状態となるように埋設する構成にすれば、防錆を図ることができる。つまり、図７で示すように、金型８０内において、複数（少なくとも３個）の円柱状凸部８２によりリールプレート４６を下方から支持し、この状態でゲート７８から樹脂を流し込んでリールハブ２２及び下フランジ２６を一体成形する。
【００３５】
これにより、図５で示すように、リールプレート４６が埋設された状態のリールハブ２２及び下フランジ２６が成形される。なお、成形時に、金型８０内において、複数（少なくとも３個）の凸部８２によってリールプレート４６を支持したことにより、図６で示すように、底壁２８の下面には、リールプレート４６の一部を露出させる小孔７２が複数（例えば６個）形成されるが、リールプレート４６の大半は底壁２８に埋設されている（略非露出状態とされている）。したがって、このリールプレート４６に錆は発生し難い。
【００３６】
また更に、そのリールプレート４６が、上記したような磁性を有するステンレス鋼（ＳＵＳ４１０又はＳＵＳ４３０）であると、リールプレート４６の一部がリールハブ２２の底壁２８から露出していても、そのリールプレート４６に錆が発生することがない（錆の発生を確実に防止できる）ので好ましい。
【００３７】
以上、説明したように、リールプレート４６を、防錆メッキされていない、磁性を有するステンレス鋼としたり、リールハブ２２の底壁２８に略非露出状態となるように埋設する構成とすれば、リールプレート４６の経時による錆の発生を防止することができる。つまり、防錆メッキをする際に使用される六価クロム等の人体に有害な物質を使用することなく、リール２０（リールプレート４６）の防錆を図ることができる。
【００３８】
なお、上記実施例では、リールハブ２２と下フランジ２６を一体成形とし、上フランジ２４をリールハブ２２に溶着するタイプのリール２０で説明をしたが、リールハブ２２と上フランジ２４が一体成形され、下フランジ２６をリールハブ２２に溶着するタイプのリールや、リールハブ２２に上フランジ２４及び下フランジ２６の両方を溶着するタイプのリールでも同様である。つまり、本発明に係るリール２０は、図示のものに限定されるものではない。
【００３９】
また、例えば図８で示すように、リールハブ２２の補強用（記録テープＴが巻回されることによる倒れ込み防止用）に、そのリールハブ２２の内周面に金属製の環状部材８４が着設される場合があるが、この環状部材８４を防錆メッキされていないステンレス鋼としてもよい。このように、リール２０に設ける金属部品を防錆メッキされていないステンレス鋼とすれば、人体に有害な物質を使用することなく、リール２０の防錆を図れるので好ましい。なお、環状部材８４は、リールハブ２２に埋め込まれるようにして設けられる場合もあるが、その場合も防錆メッキされていないステンレス鋼とすることが好ましい。
【図面の簡単な説明】
【００４０】
【図１】本発明に係るリールを備えた記録テープカートリッジの概略斜視図
【図２】本発明に係るリールを備えた記録テープカートリッジを上から見た場合の概略分解斜視図
【図３】本発明に係るリールを備えた記録テープカートリッジを下から見た場合の概略分解斜視図
【図４】本発明に係るリールの概略断面図
【図５】本発明に係るリールの概略断面図
【図６】本発明に係るリールの概略底面図
【図７】本発明に係るリールを成形する金型を示す概略断面図
【図８】リールハブ補強用の環状部材が設けられたリールの概略断面図
【符号の説明】
【００４１】
１０  記録テープカートリッジ
１２  ケース
２０  リール
２２  リールハブ
２４  上フランジ
２６  下フランジ
２８  底壁（底部）
３０  リーダーピン
４６  リールプレート（環状部材）
８４  環状部材
【図１】
2007052860.tif 000003
【図２】
2007052860.tif 000004
【図３】
2007052860.tif 000005
【図４】
2007052860.tif 000006
【図５】
2007052860.tif 000007
【図６】
2007052860.tif 000008
【図７】
2007052860.tif 000009
【図８】
2007052860.tif 000010